(57)【特許請求の範囲】
【請求項１】
さく孔機に用いられ、さく孔装置が搭載されるガイドシェルに平行な支軸上に配設されるとともに、前後に互いに離隔する一対のロッド保持部によって交換するロッドの途中部分を保持するロッド保持装置と、ロッド両端を支持するように配置されてロッドを収容するマガジンと、該マガジンのロッド収容口の近傍に付設されて前記ロッド保持装置で保持されるロッドの前後両端それぞれを前記ロッド収容口に案内するロッド案内部とを備えるロッド交換装置であって、
前記一対のロッド保持部は、軸方向の負荷を緩和する負荷緩和機構を介して前記支軸に連結されており、当該負荷緩和機構は、前記軸方向の負荷を受けたときに、当該一対のロッド保持部の位置を、前記負荷を緩和するように一体でスライド移動させるとともに、その負荷から解放されたときには、当該一対のロッド保持部を初期の中立位置に復帰させるようになっており、
前記負荷緩和機構は、前記軸方向の負荷として、前記さく孔装置のシャンクロッドの螺旋形状によるねじ送りの力が作用したときに、そのねじ送りの力によって前記一対のロッド保持部を一体でスライド移動させるようになっており、その一体でスライド移動される可動範囲は、ロッドのねじを切り離すことのできる可動範囲以上であり、
前記一対のロッド保持部同士の間に且つ前記軸方向の両側に対向して一対の付勢手段が備えられており、当該一対の付勢手段相互は、前記軸方向両側からの付勢力での押し合いによる均衡を保つことによって前記一対のロッド保持部を前記中立位置に保持するようになっており、
前記各ロッド案内部は、ロッドを格納するときに、前記ロッド保持装置で保持しているロッドが前記軸方向の負荷を受けて、その負荷を緩和するように前記一対のロッド保持部の位置が一体でスライド移動されるときに、その保持しているロッドを前記マガジンのロッド収容口に導く傾斜面からなる案内面をそれぞれ有することを特徴とするさく孔機用ロッド交換装置。
【発明の詳細な説明】
【技術分野】
【０００１】
本発明は、トンネル掘削工事において壁面の岩盤補強のために長尺のロックボルトを打設する場合等、長孔のさく孔を行うときに、さく孔機のロッドの継足しや回収を行うためのさく孔機用ロッド交換装置に関する。
【背景技術】
【０００２】
ドリルジャンボやファンカットドリル等のさく孔機では、図６に例示するように、ガイドシェル２０に搭載されたドリフタ（さく孔装置）２２にシャンクロッド２４を挿着する。そして、このシャンクロッド２４にスリーブ等を介して所定長のロッド５０を接続する。接続されたロッド５０には、その先端にビット（不図示）を取付け、このビットにドリフタ２２から打撃と回転を伝達するとともに、送り機構でドリフタ２２に送りを与えて岩石に所望のさく孔をする。
【０００３】
ここで、さく孔長がロッドより長い長孔さく孔を行う場合には、さく孔の途中でロッド交換装置を用いる（例えば特許文献１ないし２参照）。この種のロッド交換装置は、ロッド保持装置を備えて構成されている。例えば、図６に示すロッド交換装置１００は、ガイドシェル２０に平行な支軸１０５上に配設されるとともに前後に互いに離隔する一対のロッド保持部１２Ｆ、１２Ｒを有するロッド保持装置１２０を備えている。
【０００４】
ロッド保持装置１２０の各ロッド保持部１２Ｆ、１２Ｒは、ロッド５０を把持するためのツース１４と、そのツース１４を開閉する油圧シリンダ１３とを有しており、ドリフタ２２の回転と送り機構を利用して、接続すべきロッド５０のねじ込み及びねじ切りを行い、接続すべきロッド５０をロッド保持装置１２０によって継ぎ足し可能であり、また、目標とするさく孔長に達してさく孔が終わると、再びロッド保持装置１２０を用いて継ぎ足されたロッド５０を切り離し、そのロッドを回収可能になっている。
【特許文献１】特開昭５９−１３８６９３号公報
【特許文献２】特開２００１−３２３７７０号公報
【発明の開示】
【発明が解決しようとする課題】
【０００５】
しかしながら、従来のロッド交換装置では、ロッド保持装置によるロッドの継ぎ足しや回収作業の際に、操作を誤ると、さく孔装置の送り機構から受ける軸方向の負荷をロッド保持装置が受け、ロッド保持装置の変形や破損などの原因となるという問題があった。また、接続すべきロッドの継ぎ足しや回収作業の際は、シャンクロッドの螺旋形状に合わせて、さく孔装置の回転と送り操作を同時に行う必要があり、操作が面倒であるという問題がある。また、ロッドの継ぎ足しや回収作業の際、さく孔装置の回転と送り機構の送りとの同調が狂い、ロッドの螺旋形状と合わなくなると、円滑な継ぎ足し作業が困難となっていた。
【０００６】
さらに、継ぎ足されたロッドを格納する際、ロッド保持装置でのロッドを保持する軸方向での保持位置を誤ると、ロッドを格納するためのマガジン（図６の例での符号１８）などにロッドが干渉するおそれがあり、このような干渉を防ぐためには保持位置を再度修正する必要がある。そのため、余分な作業時間が掛るという問題もある。このような問題点に対し、従来は、甚大な変形や破損を避けるために、比較的に修復が容易な破損部分を予め準備したり、根本的な機械強度を向上させたりしていたものの、修復作業が生じたり、ランニングコストの増加や、質量の増加などに繋がったりしていた。
【０００７】
そこで、本発明は、このような問題点に着目してなされたものであって、ロッドの継ぎ足しや回収作業の際に、ロッド保持装置が、さく孔装置の送り機構等から受ける軸方向の負荷を受けても、その負荷を緩和するとともに、その負荷から解放されたときには、元の位置に自動的に復帰するさく孔機用ロッド交換装置を提供することを目的としている。
【課題を解決するための手段】
【０００８】
上記課題を解決するために、本発明は、さく孔機に用いられ、さく孔装置が搭載されるガイドシェルに平行な支軸上に配設されるとともに、前後に互いに離隔する一対のロッド保持部を有するロッド保持装置を備えるロッド交換装置であって、前記一対のロッド保持部は、軸方向の負荷を緩和する負荷緩和機構を介して前記支軸に連結されており、当該負荷緩和機構は、前記軸方向の負荷を受けたときに、当該一対のロッド保持部の位置を、前記負荷を緩和するように一体でスライド移動させるとともに、その負荷から解放されたときには、当該一対のロッド保持部を初期の中立位置に復帰させるようになっていることを特徴としている。
【０００９】
本発明に係るさく孔機用ロッド交換装置によれば、ロッド保持装置は、その一対のロッド保持部が、例えばさく孔装置の送り機構等から受ける、軸方向の負荷を緩和する負荷緩和機構を介して支軸に連結されているので、ロッドの継ぎ足しや回収作業の際に、ロッド保持装置が、さく孔装置の送り機構等から受ける軸方向の負荷を受けても、その負荷を緩和することができる。そして、この負荷緩和機構は、前記軸方向の負荷を受けたときに、当該一対のロッド保持部の位置を、前記負荷を緩和するように一体でスライド移動させるとともに、その負荷から解放されたときには、当該一対のロッド保持部を初期の中立位置に復帰させるようになっているので、その負荷から解放されたときには、ロッド保持装置の位置を元の位置に自動的に復帰させることができる。
【００１０】
ここで、本発明に係るさく孔機用ロッド交換装置において、前記負荷緩和機構は、前記軸方向の負荷として、前記さく孔装置のシャンクロッドの螺旋形状によるねじ送りの力が作用したときに、そのねじ送りの力によって前記一対のロッド保持部を一体でスライド移動させるようになっており、その一体でスライド移動される可動範囲は、ロッドのねじを切り離すことのできる可動範囲以上であることは好ましい。このような構成であれば、ロッドの連結や切り離しを行う際に、さく孔装置の回転操作のみで連結や切り離しが可能であり、送り機構による送り操作が不要である。したがって、操作性を向上させる上で好適である。また、ロッドの螺旋形状に合わせた回転と送り速度の調整が不要となるため、これに伴うトラブルを回避する上で好適である。
【００１１】
また、本発明に係るさく孔機用ロッド交換装置において、前記一対のロッド保持部同士の間に且つ前記軸方向の両側に対向して一対の付勢手段が備えられており、当該一対の付勢手段相互は、前記軸方向両側からの付勢力での押し合いによる均衡を保つことによって前記一対のロッド保持部を前記中立位置に保持するようになっていることは好ましい。
このような構成であれば、負荷緩和機構をコンパクトな構成とする上で好適である。
【００１２】
また、本発明に係るさく孔機用ロッド交換装置において、前記ロッド保持装置で保持するロッドの前後両端それぞれを案内するロッド案内部を更に備え、各ロッド案内部は、ロッドを格納するときに、前記ロッド保持装置で保持しているロッドが前記軸方向の負荷を受けて、その負荷を緩和するように前記一対のロッド保持部の位置が一体でスライド移動されるときに、その保持しているロッドを前記ロッド交換装置に付設されるロッド格納装置に収容されるべき適切な格納位置に案内する案内面を有することは好ましい。
このような構成であれば、ロッド交換装置に付設されるロッド格納装置にロッドを収容する際に、ロッド保持装置自身の作動力、および上記ロッド案内部の案内面の作用によって、ロッド格納装置に収容されるべき適切な格納位置までロッドの軸方向の位置を自動的に修正することができる。そのため、作業性を一層向上させる上でより好適である。
【発明の効果】
【００１３】
上述のように、本発明に係るさく孔機用ロッド交換装置によれば、ロッドの継ぎ足しや回収作業の際に、ロッド保持装置が、さく孔装置の送り機構等から受ける軸方向の負荷を受けても、その負荷を緩和するとともに、その負荷から解放されたときには、元の位置に自動的に復帰することができる。
【発明を実施するための最良の形態】
【００１４】
以下、本発明の一実施形態について、図面を適宜参照しつつ説明する。なお、上記図６に例示した従来のさく孔機と同様の構成については同一の符号を付して説明する。
図１は本発明の一実施形態のロッド交換装置を備えたさく孔機の説明図であり、同図（ａ）はその要部の正面図、（ｂ）は平面図である。また、図２は、ロッド交換装置のロッド保持装置を説明する図であり、同図（ａ）はその要部の平面図であり、同図では負荷緩和機構部分を、支軸の軸線を含む縦断面で図示し、また、同図（ｂ）は同図（ａ）でのＡ−Ａ断面図を示している。
【００１５】
図１に示すように、このさく孔機は、不図示のブームの先端部に支持されるガイドシェル２にドリフタ（さく孔装置）２２が搭載されている。そして、このドリフタ２２が公知の送り機構（不図示）によってガイドシェル２に沿って前後方向（図１（ｂ）での左右方向）に移動するようになっている。このドリフタ２２には、シャンクロッド２４が挿着される。そして、シャンクロッド２４には、その先端に所定長のロッド５０がスリーブ等を介して接続され、さらに、ロッド５０の先端にはビット（不図示）が取付けられる。
【００１６】
また、ガイドシェル２の先端部には、フートパット１５およびセントラライザ１６が設けられており、このセントラライザ１６がロッド５０の先端部をさく孔軸線ＣＸ上に支持するようになっている。そして、ドリフタ２２からロッド５０を介してビットに打撃と回転を伝達すると共に、送り機構でドリフタ２２に送りを与えることにより岩盤へのさく孔が行われる。
そして、このさく孔機は、ロッド交換装置（ロッドチェンジャ）１０が、ガイドシェル２の側部に、前後に離隔する一対のブラケット２６を介して設けられており、これにより、所要さく孔長がロッド５０の長さより長い場合には、さく孔作業の際にロッド５０の継足し及び回収を行えるようになっている。
【００１７】
詳しくは、このロッド交換装置１０は、前後一対のブラケット２６に、フレーム２８がピン２７でそれぞれ枢支されている。一対のフレーム２８は、スイングシリンダ３０の伸縮によってピン２７を中心に回動可能であり、これにより、継足しや回収するロッド５０の中心位置を、図１に示す退避位置およびさく孔軸線ＣＸ上に移動させることができる。そして、前後一対のフレーム２８は、前後のキャリア軸２９を介して、ガイドシェル２に平行な支軸５で連結されており、この支軸５上にロッド保持装置１２が配設されている。このロッド保持装置１２は、スライドシリンダ３２の伸縮によって前後のキャリア軸２９を中心に回動可能であり、これにより、図１に示す退避位置およびロッド格納装置１８の格納位置に、継足しや回収するロッド５０の中心位置をそれぞれ移動させることができる。
【００１８】
以下、上記ロッド保持装置１２についてより詳しく説明する。
このロッド保持装置１２は、ドリフタ２２が搭載されるガイドシェル２０に平行な支軸５上に配設されている。そして、前後に互いに離隔して一対をなす前方ロッド保持部１２Ｆおよび後方ロッド保持部１２Ｒを有して構成されている。一対のロッド保持部１２Ｆ、１２Ｒそれぞれは、先端部にロッド５０を保持するためのツース１４を備え、各ツース１４は、保持用シリンダ１３の伸縮によって開閉され、継足しや回収するロッド５０を把持するようになっている。そして、これら一対のロッド保持部１２Ｆ、１２Ｒは、ロッド保持装置１２がドリフタ２２の送り機構等から受ける軸方向の負荷を緩和する負荷緩和機構１を介して上記支軸５に連結されている。
【００１９】
ここで、支軸５は、図２に示すように、前方案内軸５Ｆ、および後方案内軸５Ｒが連結シャフト４によって相互に連結されて一体をなしている。そして、この支軸５上には、略円筒状の前方ばねケース２Ｆおよび後方ばねケース２Ｒが外側から嵌合しており、さらに、前方ばねケース２Ｆおよび後方ばねケース２Ｒ相互は、スライダ３によって相互に連結されている。
【００２０】
このスライダ３は略円筒状をなし、その内周面には、横断面が矩形をなす角形スプライン（雌スプライン）が軸方向に沿って４条形成されている。そして、スライダ３の内側には、上記連結シャフト４が嵌合しているが、この連結シャフト４は、上記スライダ３の４条の角形スプライン（雌スプライン）と相補形状をなす角形スプライン（雄スプライン）を外形に有しており、相互にスプライン嵌合しつつ挿通されている（図２（ｂ）参照）。これにより、このロッド保持装置１２は、スライダ３および連結シャフト４相互の角形スプラインによって、支軸５の円周方向には回転せず、支軸５の軸方向に限って一対のロッド保持部１２Ｆ、１２Ｒを一体でスライド移動可能な構造になっている。
【００２１】
さらに、前方ばねケース２Ｆおよび後方ばねケース２Ｒの内部には、付勢手段として、円筒コイルばねである前方ばね６Ｆおよび後方ばね６Ｒが、一対のロッド保持部１２Ｆ、１２Ｒ同士の間に且つ支軸５の軸方向の両側に対向して一対備えられている。また、各ばねケース２Ｆ、２Ｒ内には、前方規制コマ８Ｆおよび後方規制コマ８Ｒが収容されている。
【００２２】
そして、上記前方ばね６Ｆおよび後方ばね６Ｒは、所定の予圧（プリロード）が付加された状態で、各ばねケース２Ｆ、２Ｒ内に収容されている。一対のばね６Ｆ、６Ｒ相互は、支軸５の軸方向両側からの付勢力での押し合いによる均衡を保つことによって、一対のロッド保持部１２Ｆ、１２Ｒを、中立位置（この例では中心振り分けとなる位置）に保持するようになっている。ここで、これら前方ばね６Ｆおよび後方ばね６Ｒの所定の予圧は、ロッド保持装置１２を含む可動部品とこれによって保持するロッド５０との合計の質量を、上記中立位置に維持する力以上に設定している。
【００２３】
さらに、前方案内軸５Ｆ、および後方案内軸５Ｒには、軸方向のスライド移動範囲の所定の位置に、周方向に張り出す鍔部として前方ストッパ７Ｆおよび後方ストッパ７Ｒがそれぞれ設けられている。これにより、ロッド保持装置１２のスライド移動は、その移動範囲が、軸方向の所定の範囲内に規制された可動領域が与えられている。ここで、この可動領域は、ロッドの継ぎ足しおよび回収作業の操作性などを加味し、ロッド端部のねじ長さ以上であることが望ましく、本実施形態の例では、ロッド保持装置１２のスライド移動される可動範囲（ストローク）は、ロッド５０のねじを切り離すことのできる可動範囲以上に設定されており、また、上記前方ばね６Ｆおよび後方ばね６Ｒが許容し得るたわみ量を超えない範囲内でスライド移動される可動範囲が設定されている。
【００２４】
さらに、このロッド交換装置１０は、図１に示すように、ロッド保持装置１２で保持するロッド５０の前後両端それぞれを案内するロッド案内部９Ｆ、９Ｒを備えている。各ロッド案内部９Ｆ、９Ｒは、ロッド５０を格納するときに、ロッド保持装置１２で保持しているロッド５０が、支軸５の軸方向の負荷を受けて、その負荷を緩和するように一対のロッド保持部１２Ｆ、１２Ｒの位置がスライド移動されるときに、その保持しているロッド５０をロッド交換装置１０に付設されるロッド格納装置１８に収容されるべき適切な格納位置に案内する案内面９ｍを有している。
【００２５】
上記構成により、この負荷緩和機構１を有するロッド保持装置１２は、前方ばね６Ｆまたは後方ばね６Ｒのいずれか一方の円筒コイルばねに所定の予圧として加えられている圧縮力を超えた負荷が加わらない限り、上述したロッド保持装置１の中立位置を維持し続ける。一方、ロッド保持装置１２に、ドリフタ２２の送り機構等から受ける軸方向の負荷が作用した場合に、その負荷がいずれか一方の円筒コイルばねに所定の予圧として加えられている圧縮力を超えた負荷であるときには、ロッド保持装置１は支軸５の軸方向に、前方ストッパ７Ｆおよび後方ストッパ７Ｒ等によって規制される可動領域まで一体でスライド移動することができるので、これにより、一対のロッド保持部１２Ｆ、１２Ｒを、支軸５の軸方向にスライド移動させることでその負荷を緩和するとともに、その負荷から解放されたときには、一対のばね６Ｆ、６Ｒの作用によって一対のロッド保持部１２Ｆ、１２Ｒを前記中立位置に復帰させることが可能になっている。
【００２６】
次に、このロッド交換装置の動作、および作用・効果について図１、図２、および図３〜図５を適宜参照して説明する。
このさく孔機でさく孔作業を行う場合には、ガイドシェル２をブームでさく孔位置に移動させ、それから、ドリフタ２２を駆動してさく孔する。そして、所要さく孔長がロッド５０の長さより長い場合には、ロッド５０によるさく孔を行った後、上述のロッド交換装置１０でロッド５０の継足しを行う。
【００２７】
このロッド交換装置１０でのロッド５０の継足しは次の手順で行う。
まず、ドリフタ２２を空打ちしてドリフタ２２のシャンクロッド２４とロッド５０の後端との接続部のねじを緩める。次いで、セントラライザ１６で前方のロッド５０をクランプし、ドリフタ２２を逆転させてシャンクロッド２４と後方のロッド５０との接続部のねじを切り離す。その後、ドリフタ２２をガイドシェル２上で後方へ移動させる。
【００２８】
次に、退避位置において継ぎ足すべきロッド５０を把持し、ロッド交換装置１０のフレーム２８を回動させて、そのロッド５０を退避位置からさく孔軸線ＣＸ上へ移動させる。継ぎ足すべきロッド５０がさく孔軸線ＣＸ上に位置決めされたら、ドリフタ２２を正転させてシャンクロッド２４とロッド５０後端のねじを接続し、さらに、ツース１４の保持用シリンダ１３を若干縮小して一対のロッド保持部１２Ｆ、１２Ｒで保持するロッド５０を回転可能な程度に保持し、後方のロッド５０の前端のねじを、前方のロッド５０後端のねじと接続する。そして、ロッド５０を接続した後は、一対のロッド保持部１２Ｆ、１２Ｒのツース１４を開き、フレーム２８を回動させて退避位置に戻す。
【００２９】
ここで、従来のロッド交換装置では、ドリフタ２２を正転しつつ送り機構で前進させる必要があったが、このロッド交換装置１０は、負荷緩和機構１は、前記軸方向の負荷（ガイドシェル２０の送り方向の負荷）として、ドリフタ２２のシャンクロッド２４の螺旋形状によるねじ送りの力が作用したときに、そのねじ送りの力によって一対のロッド保持部１２Ｆ、１２Ｒを軸方向に一体でスライド移動させることができるため、ロッド５０の連結を行う際に、ドリフタ２２の回転操作のみでロッド５０の連結が可能であり、送り機構による送り操作が不要である。
【００３０】
そして、再度さく孔を行って所定のさく孔長に達したらロッド５０の回収を行う。ロッド５０の回収は次の手順で行う。
まず、ドリフタ２２で空打ちを行って、ロッド５０の接続部のねじを緩める。次いで、ドリフタ２２をロッド５０一本分の距離だけ後退させる。次いで、一対のロッド保持部１２Ｆ、１２Ｒのツース１４をさく孔軸線Ｘ上に移動させ、後方のロッド５０を保持する。次いで、ドリフタ２２を若干正転させてシャンクロッド２４のねじを軽く締め、次いで、一対のロッド保持部１２Ｆ、１２Ｒのツース１４を、保持用シリンダ１３を若干伸長した状態にして、後方のロッド５０を回転可能な程度に保持（ハーフクランプ）するとともに、前方のロッド５０の後端部をセントラライザ１６でクランプする。
【００３１】
次いで、ドリフタ２２を逆転させるとともに後退させて、まず、後方のロッド５０の前端のねじを前方のロッド５０後端から切り離す。次いで、ドリフタ２２の前後進で位置あわせを行い、一対のロッド保持部１２Ｆ、１２Ｒで後方のロッド５０をしっかりと保持する。次いで、ドリフタ２２を逆転させて、ドリフタ２２のシャンクロッド２４を後方のロッド５０後端から切り離す。このとき、このロッド交換装置１０によれば、ドリフタ２２のシャンクロッド２４の螺旋形状によるねじ送りの力が作用したときに、負荷緩和機構１は、そのねじ送りの力によって一対のロッド保持部１２Ｆ、１２Ｒを一体でスライド移動させることができる。そして、その一体でスライド移動される可動範囲は、ロッドのねじを切り離すことのできる可動範囲以上であるため、ドリフタ２２を回転させるだけでドリフタ２２のシャンクロッド２４を後方のロッド５０後端から切り離すことができる。そして、切り離しがなされたら、ドリフタ２２を後退させ、その後、ロッド交換装置１０のフレーム２８を回動してロッド５０をさく孔軸線Ｘ上から退避位置へ移動させ、付設されるロッド格納装置１８に収容して回収が終了する。
【００３２】
このロッド交換装置１０によれば、ロッド保持装置１２は、図２に示すように、その一対のロッド保持部１２Ｆ、１２Ｒが、ドリフタ２２の送り機構等から受ける、軸方向の負荷を緩和する負荷緩和機構１を介して支軸５に連結されているので、ロッド５０の継ぎ足しや回収作業の際に、ロッド保持装置１２が、ドリフタ２２の送り機構等から支軸５の軸方向の負荷を受けても、その負荷を緩和することができる。
そして、この負荷緩和機構１は、支軸５の軸方向の負荷、つまり、ガイドシェル２０の送り方向の負荷を受けたときに、一対のロッド保持部１２Ｆ、１２Ｒの位置を、ガイドシェル２０の送り方向に一体でスライド移動させる可動領域を有するので、負荷を緩和するように移動させ、ロッド５０の継ぎ足しおよび回収時にドリフタ２２などから負荷が加わってもそれを逃がすことができる。
【００３３】
つまり、図３に示すように、ガイドシェル２０の送り方向での前方から後方への負荷を受けたときには、一対のロッド保持部１２Ｆ、１２Ｒの位置を、ガイドシェル２０の送り方向後方の可動領域の範囲で、その負荷を緩和するように一体でスライド移動可能である。また、図４に示すように、ガイドシェル２０の送り方向での後方から前方への負荷を受けたときには、一対のロッド保持部１２Ｆ、１２Ｒの位置を、ガイドシェル２０の送り方向前方の可動領域の範囲で、その負荷を緩和するように一体でスライド移動可能である。
【００３４】
そのため、ロッド保持装置１２の変形や破損を避けることができる。したがって、ロッド保持装置１２を修理するための稼働停止時間やコストを抑えることができる。そして、その負荷から解放されたときには、一対のロッド保持部１２Ｆ、１２Ｒを初期の中立位置に復帰させるようになっているので、その負荷から解放されたときには、ロッド保持装置１２の位置を元の位置に自動的に復帰させることができる。
【００３５】
また、このロッド交換装置１０によれば、負荷緩和機構１は、前記軸方向の負荷（ガイドシェル２０の送り方向の負荷）として、ドリフタ２２のシャンクロッド２４の螺旋形状によるねじ送りの力が作用したときに、そのねじ送りの力によって一対のロッド保持部１２Ｆ、１２Ｒを一体でスライド移動させて前記軸方向の負荷を緩和可能なので、ロッド５０とシャンクロッド２４相互のロッド５０切り離し等を行う際に、ドリフタ２２の回転操作のみでロッド５０の切り離しが可能であり、送り機構による送り操作が不要である。したがって、操作性を向上させることができる。また、ロッド５０の螺旋形状に合わせた回転と送り速度の調整が不要となるため、これに伴うトラブルを回避することができる。
【００３６】
また、このロッド交換装置１０によれば、負荷緩和機構１は、前記軸方向の負荷を受けたときに、一対のロッド保持部１２Ｆ、１２Ｒを、支軸５の軸方向に一体でスライド移動させることでその負荷を緩和するとともに、その負荷から解放されたときには、付勢手段である一対のばね６Ｆ、６Ｒの作用によって、一対のロッド保持部１２Ｆ、１２Ｒを、前記中立位置に復帰させる構成なので、負荷緩和機構１をコンパクトな構成とすることができる。さらに、付勢手段が、一対のロッド保持部１２Ｆ、１２Ｒ同士の間に且つ支軸５の軸方向の両側に対向して一対備えられており、一対のばね６Ｆ、６Ｒ相互は、支軸５の軸方向両側からの付勢力での押し合いによる均衡を保つことによって一対のロッド保持部１２Ｆ、１２Ｒを前記中立位置に保持するようになっているので、負荷緩和機構を一層コンパクトな構成とすることを可能としている。
【００３７】
さらに、このロッド交換装置１０によれば、ロッド保持装置１２で保持するロッド５０の前後両端それぞれを案内するロッド案内部９Ｆ、９Ｒを更に備えており、各ロッド案内部９Ｆ、９Ｒは、ロッドを格納するときに、ロッド保持装置１２で保持しているロッド５０が、支軸５の軸方向の負荷を受けて、その負荷を緩和するように一対のロッド保持部１２Ｆ、１２Ｒの位置が移動されるときに、その保持しているロッド５０をロッド交換装置１０に付設されるロッド格納装置１８に収容されるべき適切な格納位置に案内する案内面９ｍを有するので、例えば図１に示すように、ロッド５０の前方端部がロッド案内部９Ｆに当接したときには、図５に示すように後方にスライド移動させることによって、ロッド５０の軸方向の位置を自動的に修正することができる。したがって、ロッド格納装置１８にロッド５０を収容する際も、ロッド保持装置１２自身の作動力、およびロッド案内部９Ｆ、９Ｒの案内面９ｍの作用によって、ロッド格納装置１８に収容されるべき適切な格納位置にロッド５０の軸方向の位置を自動的に修正可能なので、作業性を一層向上させることができる。
なお、本発明に係るロッド交換装置は、上記実施形態に限定されるものではなく、本発明の趣旨を逸脱しなければ種々の変形が可能なことは勿論である。
【図面の簡単な説明】
【００３８】
【図１】本発明の一実施形態であるロッド交換装置を備えたさく孔機の説明図であり、同図（ａ）はその正面図、（ｂ）は平面図である。
【図２】本発明の一実施形態であるロッド交換装置のロッド保持装置を説明する図であり、同図（ａ）は要部の平面図であり、負荷緩和機構の部分を支軸の軸線を含む縦断面で図示し、同図（ｂ）は同図（ａ）でのＡ−Ａ断面図である。
【図３】本発明の一実施形態であるロッド保持装置に、軸方向後方向けて負荷が作用した状態を説明する図である。
【図４】本発明の一実施形態であるロッド保持装置に、軸方向前方向けて負荷が作用した状態を説明する図である。
【図５】本発明の一実施形態であるロッド格納装置にロッドを収容する際に、軸方向後方向けて負荷が作用した例を説明する図である。
【図６】従来のロッド交換装置を備えたさく孔機の一例を説明する図であり、同図（ａ）はその正面図、（ｂ）は平面図である。
【符号の説明】
【００３９】
１    負荷緩和機構
２Ｆ    前方ばねケース
２Ｒ    後方ばねケース
３    スライダ
４    連結シャフト
５    支軸
５Ｆ    前方案内軸
５Ｒ    後方案内軸
６Ｆ    前方ばね
６Ｒ    後方ばね
７Ｆ    前方ストッパ
７Ｒ    後方ストッパ
８Ｆ    前方規制コマ
８Ｒ    後方規制コマ
９Ｆ    ロッド前方案内部
９Ｒ    ロッド後方案内部
１０    ロッド交換装置
１２    ロッド保持装置
１２Ｆ    前方ロッド保持部
１２Ｒ    後方ロッド保持部
１３    保持用シリンダ
１４    ツース
１５    フートパット
１６    セントラライザ
１８    マガジン（ロッド格納装置）
２０    ガイドシェル
２２    ドリフタ（さく孔装置）
２４    シャンクロッド
２６    ブラケット
２７    ピン
２８    フレーム
２９    キャリア軸
３０    スイングシリンダ
３２    スライドシリンダ
５０    ロッド
【図１】
0004870694.tif 000002
【図２】
0004870694.tif 000003
【図３】
0004870694.tif 000004
【図４】
0004870694.tif 000005
【図５】
0004870694.tif 000006
【図６】
0004870694.tif 000007